(57)【特許請求の範囲】
【請求項１】
脚体によって支持された支基の左右両側部に、前後方向を向く左右１対の基部杆を設け、左右の前記基部杆の前端に、上方に延出する左右１対の座支持杆を連設し、かつ前記基部杆の後端に、上方に延出する背凭れ支持杆を連設し、前記座支持杆の上端に、座の前部および両側部を支持する、平面視においてコ字状の座受けフレームにおける前部を固着し、前記背凭れ支持杆に、前記座受けフレームの後端を固着し、かつ前記座受けフレームに座を取付け、前記背凭れ支持杆に背凭れを取付けたことを特徴とする椅子。
【請求項２】
左右の前記背凭れ支持杆における上下方向の中間部同士を、左右方向を向く連結杆によって連結し、前記連結杆に、前記座受けフレームの後端を固着した請求項１記載の椅子。
【請求項３】
前記連結杆に、前記背凭れ支持杆を貫通させる貫通孔を設けた請求項２記載の椅子。
【請求項４】
前記支基における左右の側部に、上方に向かって開口する１対の嵌合凹部を設け、左右の前記基部杆の下部を前記嵌合凹部に嵌合させることにより、前記支基に前記基部杆を固着した請求項１〜３のいずれかに記載の椅子。
【請求項５】
前記支基の両側部と、前記支基の上部を覆う蓋の両側部とのいずれか一方に設けた係合凸部を、他方に設けた係合凹部に嵌合させた請求項１〜４のいずれかに記載の椅子。
【請求項６】
左右の前記座支持杆を、左右方向を向く横杆によって連結し、前記横杆に前記座受けフレームの前部を固着した請求項１〜５のいずれかに記載の椅子。
【請求項７】
前記座支持杆を外方、かつ斜め上方に延出させるとともに、前記背凭れ支持杆を外方、かつ斜め上方に延出させ、さらに上方に屈曲させることにより、上方に延出させ、左右の前記背凭れ支持杆の屈曲部より僅かに上の部分を、前記連結杆によって連結した請求項２記載の椅子。
【発明の詳細な説明】
【技術分野】
【０００１】
本発明は、椅子に関する。
【背景技術】
【０００２】
会議室等の狭い共有スペースにおいて使用される椅子として、座を左右方向に回動可能とし、背凭れを後傾不能とした椅子がある(例えば特許文献１参照)。
【先行技術文献】
【特許文献】
【０００３】
【特許文献１】特開２００６−３２５９３１号公報
【発明の概要】
【発明が解決しようとする課題】
【０００４】
特許文献１に記載されている椅子においては、左右の背凭れ支持杆を、左右方向を向く横長の支基の両側部に取付けるとともに、座を支基の上に取付け、支基の中央部を脚柱によって支持するようになっているので、座と支基との間に、座を下方に撓ませるための十分な空間を確保できず、また、座の支持が不安定になるおそれがある。
【０００５】
本発明は、上記問題点に鑑みてなされたもので、座の下方に、座を撓ませるための十分な空間を確保することができるとともに、座を安定よく、簡易な構造で脚体に支持することができるようにした椅子を提供することを目的としている。
【課題を解決するための手段】
【０００６】
本発明によると、上記課題は、次のようにして解決される。
（１）脚体によって支持された支基の左右両側部に、前後方向を向く左右１対の基部杆を設け、左右の前記基部杆の前端に、上方に延出する１対の座支持杆を連設し、前記基部杆の後端に、上方に延出する背凭れ支持杆を連設し、前記座支持杆の上端に、座の前部および両側部を支持する、平面視においてコ字状の座受けフレームにおける前部を固着し、前記背凭れ支持杆に、前記座受けフレームの後端を固着し、前記座受けフレームに座を取付け、前記背凭れ支持杆に背凭れを取付ける。
【０００７】
このような構成とすると、座と支基との間には、座の前部および両側部を支持する座受けフレームと、座受けフレームを支持する上下方向を向く座支持杆、および背凭れ支持杆しか存在しないので、座と支基との間に、座を下方に撓ませるのに十分な空間を確保することができる。
【０００８】
また、座の前部、および左右の両側部を支持する座受けフレームを、左右の座支持杆と、左右の背凭れ支持杆によって支持するので、座を安定よく、しかも簡単な構造で支持することができる。
さらに、支基を脚体に取付けるだけで、座受け支持杆、背凭れ支持杆、および座受けフレームを脚体によって支持することができる。
因みに、「コ字状の座受けフレーム」とは、口字状の座受けフレームをも含むものである。
【０００９】
（２）上記（１）項において、左右の前記背凭れ支持杆における上下方向の中間部同士を、左右方向を向く連結杆によって連結し、前記連結杆に、前記座受けフレームの後端を固着する。
【００１０】
このような構成とすると、連結杆によって、左右の背凭れ支持杆の剛性を高くすることができるとともに、左右の背凭れ支持杆が左右に広がるのを阻止することができる。また、座受けフレームの後部を、連結杆によって確実に支持することができる。
【００１１】
（３）上記（２）項において、前記連結杆に、前記背凭れ支持杆を挿通させる貫通孔を設ける。
【００１２】
このような構成とすると、背凭れ支持杆を連結杆の貫通孔に挿通させるだけで、背凭れ支持杆に連結杆を簡単に取付けることができる。
【００１３】
（４）上記（１）〜（３）項のいずれかにおいて、前記支基における左右の側部に、上方に向かって開口する１対の嵌合凹部を設け、左右の前記基部杆の下部を前記嵌合凹部に嵌合させることにより、前記支基に前記基部杆を固着する。
【００１４】
このような構成とすると、支基に基部杆を簡単に位置決めして取付けることができる。また、嵌合凹部の開口縁と基部杆とを溶着等によって容易に固着することができる。
【００１５】
（５）上記（１）〜（４）項のいずれかにおいて、前記支基の両側部と、前記支基の上部を覆う蓋の両側部とのいずれか一方に設けた係合凸部を、他方に設けた係合凹部に嵌合させる。
【００１６】
このような構成とすると、支基の左右両側部に設けられた基部杆の上部を、蓋によって簡単に覆うことができ、基部杆が位置ずれしたり、外れたりしないようにすることができる。
【００１７】
（６）左右の前記座支持杆を、左右方向を向く横杆によって連結し、前記横杆に前記座受けフレームの前部を固着する。
【００１８】
このような構成とすると、座受けフレームをより安定よく支持することができるとともに、座支持杆を座受けフレームに固着し易くなる。
【００１９】
（７）前記座支持杆を外方、かつ斜め上方に延出させるとともに、前記背凭れ支持杆を外方、かつ斜め上方に延出させ、さらに上方に屈曲させることにより、上方に延出させ、左右の前記背凭れ支持杆の屈曲部より僅かに上の部分を、前記連結杆によって連結する。
【００２０】
このような構成とすると、座を広い面積で安定よく、しかも下方へ撓む空間を十分に確保して支持することができるとともに、座に比べて、支基を小型化することができる。
【発明の効果】
【００２１】
本発明によると、座を左右１対の座支持杆と、左右１対の背凭れ支持杆によって支持するので、座を安定よく支持することができる。また、座と支基との間に、座を下方に撓ませるのに十分な空間を確保することができる。
【図面の簡単な説明】
【００２２】
【図１】本発明の一実施形態を備える椅子の正面図である。
【図２】同じく、側面図である。
【図３】支持枠を斜め前方の上方から見た斜視図である。
【図４】図２におけるIV−IV線拡大断面図である。
【図５】本発明の一実施形態を備える椅子を斜め前方の下方から見た斜視図である。
【図６】図１におけるVI−VI線拡大断面図である。
【発明を実施するための形態】
【００２３】
以下、本発明の一実施形態を、添付図面に基づいて説明する。
図１〜図３に示すように、この肘掛け付き椅子は、先端部にキャスタ１を備える放射状をなす５本の脚杆２を有する脚体３を備えている。脚体３の中央には、ガススプリング(図示略)を備える伸縮式の脚柱４が立設され、脚柱４の上端には、支基５が固着されている。支基５には、座６および背凭れ７を支持する支持枠８が取付けられている。図における支基５の左側部には、図示しないガススプリングの左右方向を向く操作レバー９が突出している。
【００２４】
支基５は、平面視においてほぼ四角形をなしている(図３、図５参照)。支持枠８は、支基５の左右の両側部に埋設固着された前後方向を向く１対の基部杆１０、１０と、各基部杆１０の前端に連設された、外方、かつ斜め前上方に延出する座支持杆１１と、各基部杆１０の後端に連設された、斜め後上方を向き、かつ、途中から上方に屈曲１２ａする背凭れ支持杆１２と、前上方を向く左右の座支持杆１１、１１の上端同士を連結する、左右方向を向く横杆１３(図５参照)と、背凭れ支持杆１２、１２に固着され、座６の前部および左右の両側部を支持する座受けフレーム１４とを有している。
【００２５】
基部杆１０は、図４に示すように、支基５の左右の両側部に設けた上向凹部１５内に嵌合され、かつ上面を上向凹部１５の開口縁に溶着１０ａすることにより、支基５に強固に固着されている。
【００２６】
支基５の下面に設けた下ケース１６の上方を向く外周縁に設けた、上方および外側方に向かって開口する係合凹部１７に、支基５および左右の基部杆１０の上部を覆う蓋板１８の外周縁に受けた下向の係合凸部１９を係合してある。
【００２７】
左右の背凭れ支持杆１２、１２の屈曲部１２ａ、１２ａより僅かに上方同士は、背凭れ支持杆１２より大径の左右方向を向く連結杆２０によって連結されている。すなわち、連結杆２０の両側部に設けた上下方向を向く貫通孔２１は、背凭れ支持杆１２へ嵌合されている。
【００２８】
座受けフレーム１４は、座６の前部を支持する左右方向を向く前杆１４ａと、前杆１４ａの左右の両端から後方に延出し、かつ中間部が緩やかに山形に屈曲する左右１対の側杆１４ｂ、１４ｂと、両側杆１４ｂ、１４ｂの後端に連設された互いに内方を向く後杆１４ｃ、１４ｃとを有している。
【００２９】
座受けフレーム１４の前杆１４ａは、図５に示すように、左右の座支持杆１１、１１の前端同士を連結する横杆１３の前部に固着されている。同じく後杆１４ｃ、１４ｃは、図３に示すように、左右の背凭れ支持杆１２、１２を連結する連結杆２０に固着されている。
なお、座受けフレーム１４の後杆１４ｃ、１４ｃを省略し、座受けフレーム１４の側杆１４ｂ、１４ｂの後部を、背凭れ支持杆１２、１２に固着してもよい。
【００３０】
座受けフレーム１４の前杆１４ａにおける上面には、前方に向かって突出する複数の係合片２２ａを有する左右方向を向く係合部材２２が固着されている。各側杆１４ｂの中央より僅かに後方の部分には、内方に向かって突出する係合片２３ａが設けられている。座受けフレーム14の後杆１４ｃには、前方に向かって突出する係合片２３ｂが設けられている。
【００３１】
座６は、図６に示すように、四角形の枠状をなす座枠２４と、座枠２４の内部空間に張設された張材２５とからなり、座枠２４の前片２４ａには、後方に向かって開口する係合溝２６が設けられている。座枠２４の後片２４ｂは、後上方に向かって傾斜している。後片２４ｂの下面には、互いに前後方向に間隔を開けて設けられた、下方に突出する凸部２４ｃと、下方に突出する突片２４ｄとによって、下方に向かって開口している凹部２７が形成されている。
【００３２】
座６を、座受けフレーム１４に取付けるには、座枠２４における前片２４ａの係合溝２６を、座受けフレーム１４の前片１４ａにおける係合片２２ａに係合させる。また、座枠２４の後片２４ｂにおける凹部２７内に、座受けフレーム１４の後杆１４ｃ、および連結杆２０を嵌合し、後杆１４ｃの係合片２３ｂを、座枠２４における凸部２４ｃの下面に、ねじによって固着する。
【００３３】
さらに、座枠２４の左右の両側部における係合溝（図示略）を、座受けフレーム１４における左右の両側杆１４ｂ、１４ｂの係合片２３ａ、２３ａに係合させる。
これにより、座６は、座受けフレーム１４に位置ずれすることなく、確実に取付けられる。
【００３４】
図２に示すように、背凭れ７は、左右の両側部７ａ、７ａにおける下部を、背凭れ支持杆１２、１２の屈曲部１２ａ、１２ａより上の部分に嵌合させることにより取付けられる。なお、この背凭れ７、およびその嵌合部分の具体的な構造については、本発明と直接関係しないので、その詳細な図示および説明は省略する。
【００３５】
本実施形態の椅子においては、基部杆１０の両端に、上方に延出する座支持杆１１および背凭れ支持杆１２が連設されているので、支持枠８を製造する工程で、杆材を曲げるだけで、座を下方に撓ませる空間を確保することができる。
【００３６】
連結杆２０は、直線状の杆材を使用することができるため、加工コストが嵩むのを抑えることができる。また、連結杆２０に座受けフレーム１４における左右の取付杆１４ｃ、１４ｃを固着するため、座６の後部を広い面積で支持することができる。
【００３７】
座受けフレーム１４は、予め平面視においてコ字状となるように形成しておき、その前部１４ａを支持枠８の横杆１３に固着し、後部の取付杆１４ｃ、１４ｃを連結杆２０に固着するだけで、支持枠８に取付けることができる。したがって、座受けフレーム１４の前部１４ａ、側部１４ｂ、１４ｂ、および取付杆１４ｃ、１４ｃを別個に、座支持杆１１、および背凭れ杆１２に取付ける場合に比べて、加工が容易になる。
【００３８】
本発明は、上記実施形態のみに限定されるものではなく、特許請求の範囲を逸脱しない範囲で、例えば次のような変形した態様での実施が可能である。
（１）支基５を座受けフレーム１４と同様の大きさとするとともに、支基５の左右の両側部に基部杆１０を設け、基部杆１０の前端および後端から、座支持杆１１、および背凭れ支持杆１２を上方に向かって延出させ、その上に座受けフレーム１４を取付ける。
（２）連結杆２０を、左右の背凭れ支持杆１２に溶着等によって固着する。
（３）座受けフレーム１４を口字状とし、左右の側杆１４ｂ、１４ｂの後端を、両側杆１４ｂ、１４ｂの後端に連設した左右方向を向く後杆によって連結する。
【符号の説明】
【００３９】
１  キャスタ
２  脚杆
３  脚体
４  脚柱
５  支基
６  座
７  背凭れ
８  支持枠
９  操作レバー
１０  基部杆
１０ａ  溶着(部)
１１  座支持杆
１２  背凭れ支持杆
１２ａ  屈曲部
１３  横杆
１４  座受けフレーム
１４ａ  前杆
１４ｂ  側杆
１４ｃ  後杆
１５  上向凹部
１６  下ケース
１７  係合凹部
１８  蓋板
１９  係合凸部
２０  連結杆
２１  貫通孔
２２  係合部材
２２ａ  係合片
２３ａ  係合片
２３ｂ  係合片
２４  座枠
２４ａ  前片
２４ｂ  後片
２４ｃ  突部
２４ｄ  突片
２５  張材
２６  係合溝
２７凹部
【図１】
0005666880.tif 000002
【図２】
0005666880.tif 000003
【図３】
0005666880.tif 000004
【図４】
0005666880.tif 000005
【図５】
0005666880.tif 000006
【図６】
0005666880.tif 000007